(57)【要約】【課題】スリーブの折り畳み寸法を小さくし、不使用時の保管効率を向上しうるようにした輸送用容器を提供する。【解決手段】上面の外周端部に、連続する凹状断面の保持溝５が形成された底板２と、保持溝５に下端部が嵌合される、上下両面が開口された箱状に形成され、かつ互いに対向する２つの側板３ａの横方向の中央と四隅のコーナーとに、それぞれ、上下方向を向く谷折り部１０と山折り部１１が形成されたスリーブ３と、このスリーブ３の上端に載置され、かつ下面の外周端部に、スリーブ３の上端部が嵌合される上向き凹状断面の保持溝が形成された上蓋４とからなる輸送用容器とする。【選択図】  図１
2009107703.tif 000002
【特許請求の範囲】
【請求項１】
既存のパレットに載置可能な大きさの方形をなし、かつ上面の外周端部に、平面視方形をなすように連続する凹状断面の保持溝が形成された底板と、前記保持溝に下端部が嵌合される、上下両面が開口された箱状に形成され、かつ互いに対向する２つの側板の横方向の中央と四隅のコーナーとに、それぞれ、上下方向を向く谷折り部と山折り部が形成されたスリーブと、このスリーブの上端に載置され、かつ下面の外周端部に、スリーブの上端部が嵌合される上向き凹状断面の保持溝が形成された上蓋とを備えることを特徴とする輸送用容器。
【請求項２】
底板と上蓋における保持溝に囲まれた上面と下面とを、それぞれ、下方と上方に凹ませることにより、底板に上蓋を被せたとき、互いの対向面間に空間が形成されるようにした請求項１に記載の輸送用容器。
【請求項３】
底板の下面の外周縁に、既存のパレット及び上蓋の上部に着脱可能に嵌合される枠状嵌合片を、下向きに突設してなる請求項１または２に記載の輸送用容器。
【請求項４】
底板及び上蓋を、同一部材にて構成した請求項１ないし３のいずれかに記載の輸送用容器。
【請求項５】
底板及び上蓋を、合成樹脂による射出成形により形成した請求項１ないし４のいずれかに記載の輸送用容器。
【請求項６】
スリーブを、プラスチック気泡ボード、プラスチック段ボール、プラスチックハニカムボードのいずれかにより形成した請求項１ないし５のいずれかに記載の輸送用容器。
【発明の詳細な説明】
【技術分野】
【０００１】
本発明は、海上または陸上輸送に用いられる輸送用容器に係わり、特に、組み立て式の輸送用容器に関する。
【背景技術】
【０００２】
この種の組み立て式輸送用容器としては、例えば特許文献１ないし３に記載されているように、方形をなす底板と、その上面に載置される、上下両面が開口された箱型のスリーブと、このスリーブの上面に載置される上蓋とからなり、それらを合成樹脂により形成したものがある。
【０００３】
【特許文献１】特開２００３−６３５２８号公報（図２）
【特許文献２】特開２００４−１０１２９号公報（図１）
【特許文献３】特開２００６−１０３７９８号公報（図２）
【発明の開示】
【発明が解決しようとする課題】
【０００４】
組み立て式の輸送容器には、不使用時における保管効率を向上するために、より小さく折り畳めることが要求される。
【０００５】
上記特許文献１ないし３に記載されている輸送容器においては、スリーブを、対角線上のコーナー部において折り畳み可能とすれば、平らに折り畳んで上下寸法を小さくし、底板と上蓋との間に挟み込むなどして保管することができる。
【０００６】
しかし、対角線上のコーナー部においてスリーブを折り畳むと、山折りとした側の折り畳み寸法が、底板及び上蓋の横寸法よりも大となり、側方にはみ出すため、保管スペースの面で改善する余地が残されていた。
【０００７】
本発明は、上記問題点を解決するためになされたもので、スリーブの折り畳み寸法を小さくし、不使用時の保管効率を向上しうるようにした輸送用容器を提供することを目的としている。
【課題を解決するための手段】
【０００８】
上記課題を解決するために、本発明の請求項１に記載の輸送用容器は、
既存のパレットに載置可能な大きさの方形をなし、かつ上面の外周端部に、平面視方形をなすように連続する凹状断面の保持溝が形成された底板と、
前記保持溝に下端部が嵌合される、上下両面が開口された箱状に形成され、かつ互いに対向する２つの側板の横方向の中央と四隅のコーナーとに、それぞれ、上下方向を向く谷折り部と山折り部が形成されたスリーブと、
このスリーブの上端に載置され、かつ下面の外周端部に、スリーブの上端部が嵌合される上向き凹状断面の保持溝が形成された上蓋と、
を備えることを特徴としている。
この特徴によれば、スリーブには、互いに対向する２個の側板の横方向の中央と四隅のコーナーとに、それぞれ、上下方向を向く谷折り部と山折り部が形成されているので、それらの折り部に沿って谷折り及び山折りに折り曲げることにより、スリーブを、側板の横寸法とほぼ等しい長さに平らに折り畳むことができる。
従って、スリーブの折り畳み寸法が小さくなり、折り畳んだスリーブを、底板と上蓋との間に、はみ出さずに挟み込んで保管することができるので、保管効率が向上する。
また、スリーブの上下の端部を、底板と上蓋との保持溝に嵌合した状態で組み立てられるので、スリーブが折り部を中心として変形する恐れはなく、正確な箱形状に保たれる。
【０００９】
本発明の請求項２に記載の輸送用容器は、請求項１に記載の輸送用容器であって、
底板と上蓋における保持溝に囲まれた上面と下面とを、それぞれ、下方と上方に凹ませることにより、底板に上蓋を被せたとき、互いの対向面間に空間が形成されるようにしたことを特徴としている。
この特徴によれば、折り畳んだスリーブを、底板と上蓋との対向面に形成された空間に収容することができるので、不使用時の輸送容器の上下寸法が小さくなり、保管効率がより向上する。
【００１０】
本発明の請求項３に記載の輸送用容器は、請求項１または２に記載の輸送用容器であって、
底板の下面の外周縁に、既存のパレット及び上蓋の上部に着脱可能に嵌合される枠状嵌合片を、下向きに突設したことを特徴としている。
この特徴によれば、底板の枠状嵌合片を、既存のパレットの上部に嵌合することにより、輸送用容器を載せたパレットをフォークリフト等で搬送する際に、輸送用容器がパレット上より滑落するのを防止することができる。
また、底板の枠状嵌合片は、上蓋の上部にも嵌合可能であるので、複数の輸送用容器を、安定的に段積みすることができるとともに、不使用時に、底板の上部に上蓋をネスティングして保管することもできる。
【００１１】
本発明の請求項４に記載の輸送用容器は、請求項１ないし３のいずれかに記載の輸送用容器であって、
底板及び上蓋を、同一部材にて構成したことを特徴としている。
この特徴によれば、底板と上蓋とを別個に製造しなくて済むため、製造コストを低減できる。
【００１２】
本発明の請求項５に記載の輸送用容器は、請求項１ないし４のいずれかに記載の輸送用容器であって、
底板及び上蓋を、合成樹脂による射出成形により形成したことを特徴としている。
この特徴によれば、底板と上蓋の軽量化が図れるとともに、形状や厚さの異なる底板及び上蓋を容易に量産することができる。
【００１３】
本発明の請求項６に記載の輸送用容器は、請求項１ないし５のいずれかに記載の輸送用容器であって、
スリーブを、プラスチック気泡ボード、プラスチック段ボール、プラスチックハニカムボードのいずれかにより形成したたことを特徴としている。
この特徴によれば、いずれの部材も、比較的強度が大きく、かつ軽量であるので、大型のスリーブとしても、十分な強度が確保されるとともに、輸送用容器全体の軽量化が図れる。
【発明を実施するための最良の形態】
【００１４】
以下、本発明の一実施形態を、図１〜図５に基づいて説明する。
【００１５】
図１は、本発明の第１の実施形態としての輸送用容器の分解斜視図、図２は、同じく組み立て時の斜視図、図３は、図２のＩＩＩ−ＩＩＩ線の拡大縦断側面図である。
【００１６】
輸送用容器１は、既存の正方形をなすパレットＰに載置可能な方形板状の底板２と、それよりも若干小さな、上下両面が開口された方形箱状のスリーブ３と、底板２とほぼ同じ大きさの方形板状をなす上蓋４とからなっている。
【００１７】
底板２は、例えばポリプロピレンやＡＢＳ等の合成樹脂を射出成形して形成されたもので、その上面の外周端部には、凹状断面の保持溝５が、平面視方形をなすように連続して形成されている。この保持溝５により囲まれた底板２の上面２ａは、外周端部の上面２ｂよりも下方に凹入している。
【００１８】
底板２の下面の外周縁には、パレットＰ及び上蓋４の上端部に着脱可能に嵌合される枠状嵌合片６が、下向きに突設されている。
【００１９】
上蓋４は、底板２と同材質の合成樹脂の射出成形品よりなり、上端部は、上記枠状嵌合片６内に嵌合されるように、下端部よりも若干小さな方形に形成されている。また、上蓋４の下面の外周端部には、上向き凹状断面の保持溝７が、底板２の保持溝５と対向するように、連続して形成されている。この保持溝７により囲まれた上蓋４の下面４ａは、外周端部の下面４ｂよりも上方に凹入している。
【００２０】
スリーブ３は、この実施形態では、心材８の両面にシート９、９を熱溶着して形成された、軽量かつ高強度のプラスチック発泡ボード(商品名プラパール)により、上下の端部が、底板２と上蓋４の保持溝５、７に嵌合可能な方形箱状に形成されている。なお、スリーブ３は、上記の材料以外に、プラスチック段ボールやプラスチックハニカムボードなどにより形成してもよい。
【００２１】
スリーブ３における互いに対向する２個の側板３ａ、３ａの長さ方向の中央には、その部分の内側を薄肉とすることにより、上下方向を向く谷折り部１０、１０が形成されている。また、四隅部のコーナーには、外側を薄肉とすることにより、上下方向を向く山折り部１１が形成されている。
【００２２】
図４に示すように、スリーブ３は、上記谷折り部１０を中心として、両側板３ａ、３ａを内側に折り曲げることにより、折り畳むことができる。このように、側板３ａを内側に折り曲げることにより、スリーブ３の折り畳み寸法は、側板３ａの長さを超えることはない。
【００２３】
輸送用容器１を組み立てるには、底板２の保持溝５にスリーブ３の下端部を嵌合した後、このスリーブ３の上端部に上蓋４の下面の保持溝７を嵌合すればよい。また、組み立て後においては、スリーブ３の上下両端部が、底板２と上蓋４の保持溝５、７に嵌合されているので、スリーブ３が谷折り部１０を中心として変形する恐れはなく、正確な箱形状に保たれる。
【００２４】
底板２の下面に突設した枠状嵌合片６を、上蓋４の上部に嵌合可能としてあるので、図３の２点鎖線で示すように、組み立てた複数の輸送用容器１を安定的に段積みすることができる。また、枠状嵌合片６は、パレットＰにも嵌合しうるので、輸送用容器１を載せたパレットをフォークリフト等で搬送する際に、輸送用容器１がパレットＰ上より滑落するのを防止することができる。
【００２５】
物品を収容して搬送する際は、輸送用容器１全体にバンドを掛ければよい。なお、バンドを掛け易くするために、底板２と上蓋４の外面に、バンド掛け用の凹溝を設けてもよい。
【００２６】
図５は、不使用時に輸送用容器１を保管する際の断面図を示すもので、折り畳んだスリーブ３を平らにして底板２の上面２ａに載置したのち、上蓋４を底板２の上面に被せてある。底板２の上面２ａと上蓋４の下面４ａとの対向面間には、それらを凹入させたことにより、空間Ｓが形成されるため、この空間Ｓ内に、折り畳んだスリーブ３を収容することができる。
【００２７】
従って、不使用時における輸送用容器１の上下寸法が小さくなり、しかも、スリーブ３が底板２及び上蓋４より側方にはみ出すことがないので、保管効率が向上する。
【００２８】
また、底板２に突設した枠状嵌合片６を、上蓋４の上部に嵌合可能としているので、不使用時における輸送用容器１全体及び底板２と上蓋４とを、ネスティングして安定的に保管することができる。
【００２９】
上記実施形態の輸送用容器１は、パレットＰに載置して使用しうるものとしたが、底板２の枠状嵌合片６を省略し、底板２の下面にフォークリフト等のフォークが差し込み可能な桁部を突設してもよく、このようにすると、パレットＰを使用しないで、輸送用容器１をフォークリフト等で搬送することができる。
【００３０】
図６ないし図８は、本発明の輸送用容器の第２の実施形態を示す。上記実施形態の輸送容器１は、底板２と上蓋４とがそれぞれ形状の異なる別個の部材にて構成されていたが、例えば上記底板２を上下反転して上蓋４として使用（共用）してもよい。すなわち、底板２と上蓋４とを同一部材（底板２）にて構成してもよい。
【００３１】
具体的には、図６及び図７に示されるように、一対の底板２，２のうち一方を底板として使用し、他方を上蓋４’として上下反転させて使用する。底板２の上面２ａの外周端部には凹状断面の保持溝５が形成されているため、上蓋４’として使用する際においては、上面２ａが下面となるとともに、スリーブ３の上端部に保持溝５を嵌合することで、スリーブ３が谷折り部１０を中心として変形する恐れはなく、正確な箱形状に保たれる。
【００３２】
また、底板２の下面の外周縁から下向きに突設された枠状嵌合片６により囲まれる凹部６ａが上向きに開放されるため、図７に示されるように、該凹部６ａ内に、上段の輸送容器１のパレットＰを嵌合することで、組み立てた複数の輸送用容器１を安定的に段積みすることができる。
【００３３】
また、図８に示されるように、不使用時に輸送用容器１を保管する際には、折り畳んだスリーブ３を平らにして底板２の上面２ａに載置したのち、上蓋４’を再度上下反転して底板２と同様の向きにして、底板２の上面に被せることで、底板２の上面２ａと上蓋４’の下面との対向面間に空間Ｓが形成されるため、この空間Ｓ内に、折り畳んだスリーブ３を収容することができる。
【００３４】
尚、上蓋４’とその上段の底板２との間にも同様の空間Ｓ’が形成されるため、該空間部Ｓ’内にスリーブ３を収容してもよい。
【００３５】
また、図９及び図１０に示されるように、例えば各辺の保持溝５外側の外周端部に上向きに開口する切欠部２０を凹設し、各切欠部２０内に、スリーブ３の側板３ａ下端を底板２に対して係止可能なロック装置２１を設け、保持溝５内に嵌合された側板３ａ下端を係止できるようにしてもよい。
【００３６】
具体的には、ロック装置２１は、図１０（ａ）に示されるように、本体２１ｂと、本体２１ｂ内に、保持溝５に対して突出する突出位置と、該突出位置から本体２１ｂ内に退避した退避位置との間で移動自在に設けられ、かつ、バネ等により常時突出位置方向に向けて付勢されたロックピン２１ａと、ロックピン２１ａを前記突出位置から前記退避位置まで強制退避させることができるロック解除ボタン２１ｃと、から構成されている。
【００３７】
ロックピン２１ａの先端は、上方から差し込まれる側板３ａの下端に当接することにより退避位置に向けて退避するようにガイドするラウンド面２１ｄが形成されている。
【００３８】
よって、図１０（ａ）に示されるように、側板３ａを保持溝５内に差し込むことで、ロックピン２１ａは側板３ａにより退避位置に向けて押し込まれた後、側板３ａ下部に形成された係止孔２２が対向した際に、バネ等の付勢力により係止孔２２内に差し込まれる。よって、側板３を保持溝５内に嵌合するだけで、底板２に対して側板３ａが係止（ロック）される。
【００３９】
また、側板３ａを底板２から取り外したい場合には、ロック解除ボタン２１ｃを押圧操作することでロックピン２１ａが突出位置から退避位置まで強制移動するため、簡単に係止（ロック）解除することができる。
【００４０】
尚、このようなロック機構は上記構造のものに限定されるものではなく、底板２に対して側板３ａを係止可能なものであれば上記のものに限定されるものではない。また、このようなロック装置２１を、側板３ａと上蓋４との係止（ロック）に適用してもよい。
【図面の簡単な説明】
【００４１】
【図１】本発明の第１の実施形態としての輸送用容器の分解斜視図である。
【図２】同じく、組み立て時の斜視図である。
【図３】図２のＩＩＩ−ＩＩＩ線の拡大縦断側面図である。
【図４】スリーブを折り畳んだ状態の斜視図である。
【図５】輸送用容器を保管する際の断面図である。
【図６】側板と底板とのロック装置を示す図である
【図７】本発明の第２の実施形態としての輸送用容器の分解斜視図である。
【図８】同じく、組み立て時の斜視図である。
【図９】組み立て時の拡大縦断側面図である。
【図１０】（ａ）（ｂ）はロック装置の構造及び作用を示す底板の要部拡大断面図である。
【符号の説明】
【００４２】
１，１’  輸送用容器
２    底板
２ａ  上面
２ｂ  外周端部の上面
３    スリーブ
３ａ  側板
４，４’  上蓋
４ａ  下面
４ｂ  外周端部の下面
５    保持溝
６    枠状嵌合片
７    保持溝
８    心材
９    シート
１０  谷折り部
１１  山折り部
Ｐ    パレット
Ｓ，Ｓ’  空間
【図１】
2009107703.tif 000003
【図２】
2009107703.tif 000004
【図３】
2009107703.tif 000005
【図４】
2009107703.tif 000006
【図５】
2009107703.tif 000007
【図６】
2009107703.tif 000008
【図７】
2009107703.tif 000009
【図８】
2009107703.tif 000010
【図９】
2009107703.tif 000011
【図１０】
2009107703.tif 000012